(57)【特許請求の範囲】
【請求項１】
円筒型の表示装置の外周上に備えられた複数の平面のディスプレイであり、それぞれ、異なる向きで備えられ、それぞれコンテンツを表示する表示部と、
周囲を３６０度撮影する撮影部と、
前記撮影部が撮影した画像を画像処理し、操作者の顔の位置と向きを検知した結果に基づきコンテンツを表示する複数の隣接した前記表示部を決定する操作者検知部と、
前記画像に含まれる操作者の目または眼鏡と鼻の位置を検出し判断した操作者の顔の向きと、前記操作者検知部がコンテンツの表示を決定した前記表示部における前記円筒型の表示装置の円周方向とが成す角度に基づき、前記角度だけコンテンツが回転するよう、それぞれの前記表示部に表示するコンテンツを補正し、当該の前記表示部にそれぞれ表示させるコンテンツ制御部と
を備える表示装置。
【請求項２】
前記操作者検知部は、画像処理した前記撮影部が撮影した画像の中から人の顔の目または眼鏡と鼻の位置を抽出した結果に基づき、顔の位置と向きを検知する請求項１に記載の表示装置。
【請求項３】
振動を検知する振動検知部をさらに含み、
前記振動検知部が所定の強度以上の振動を検知した場合、前記撮影部と前記表示部に電源が供給される請求項１または２に記載の表示装置。
【請求項４】
前記操作者検知部は、さらに所定の照度以上の光源がある場合、光源の位置を検知し、前記コンテンツ制御部は、操作者の顔の位置と向きと、前記光源の位置に基づき、それぞれの前記表示部に対するコンテンツの表示の可否を決定する請求項１乃至３のいずれか１項に記載の表示装置。
【請求項５】
前記操作者検知部が検知した操作者の顔の構造のパターンがあらかじめ記憶するパターンと一致した場合、前記コンテンツ制御部は前記表示部にコンテンツを表示する請求項１乃至４のいずれか１項に記載の表示装置。
【請求項６】
前記操作者検知部が同時に複数の顔の位置を検知した場合、少なくとも全ての顔の位置に基づき、コンテンツを表示する前記表示部を決定する請求項１乃至４のいずれか１項に記載の表示装置。
【請求項７】
複数の平面のディスプレイであり、コンテンツを表示する表示部を円筒型の表示装置の外周上に異なる向きで備え、
撮影部が周囲を３６０度撮影した画像を画像処理し、操作者の顔の位置と向きを検知し、コンテンツを表示する複数の隣接した前記表示部を決定し、
前記画像に含まれる操作者の目または眼鏡と鼻の位置を検出し判断した操作者の顔の向きと、コンテンツの表示を決定した前記表示部における前記円筒型の表示装置の円周方向とが成す角度に基づき、前記角度だけコンテンツが回転するよう、それぞれの前記表示部に表示するコンテンツを補正し、当該の前記表示部にそれぞれ表示させる
表示制御方法。
【請求項８】
画像処理した前記撮影部が撮影した画像の中から人の顔の目または眼鏡と鼻の位置を抽出した結果に基づき、顔の位置と向きを検知する請求項７に記載の表示制御方法。
【請求項９】
複数の平面のディスプレイであり、コンテンツを表示する表示部を円筒型の表示装置の外周上に異なる向きで備え、
撮影部が周囲を３６０度撮影した画像を画像処理し、操作者の顔の位置と向きを検知し、コンテンツを表示する複数の隣接した前記表示部を決定し、
前記画像に含まれる操作者の目または眼鏡と鼻の位置を検出し判断した操作者の顔の向きと、コンテンツの表示を決定した前記表示部における前記円筒型の表示装置の円周方向とが成す角度に基づき、前記角度だけコンテンツが回転するよう、それぞれの前記表示部に表示するコンテンツを補正し、当該の前記表示部にそれぞれ表示させる処理
をコンピュータに実行させるプログラム。
【請求項１０】
画像処理した前記撮影部が撮影した画像の中から人の顔の目または眼鏡と鼻の位置を抽出した結果に基づき、顔の位置と向きを検知する処理
をコンピュータに実行させる請求項９に記載のプログラム。
【発明の詳細な説明】
【技術分野】
【０００１】
本発明は、コンテンツを表示する表示装置、表示制御方法、及びそのためのプログラムに関する。
【背景技術】
【０００２】
コンテンツを表示する表示装置において、表示されているコンテンツを見ている人に応じてコンテンツの表示を制御する装置が知られている。この表示装置は、表示装置にカメラを備え、カメラで撮影した画像の中に人の顔があることを認識した場合にコンテンツを制御する。
【０００３】
表示装置の一例が特許文献１に記載されている。特許文献１に記載された液晶表示装置は、カメラで撮影した画像を処理し、コンテンツを見ている人の顔の位置及び顔の向きを検出し、液晶表示パネルのどのコンテンツが注目されているかを判別する。そして、液晶表示装置は、コンテンツが注目されていると判別した場合、液晶表示パネルの当該コンテンツ以外のコンテンツの輝度を下げる。
【先行技術文献】
【特許文献】
【０００４】
【特許文献１】特開２００９−２３７２１０号公報
【発明の概要】
【発明が解決しようとする課題】
【０００５】
しかしながら、上述した特許文献１に記載された技術は、利用者が表示装置を正面から見ていない場合、利用者にとっては表示されるコンテンツが斜めに見えるため、利用者は見づらく感じる。したがって、特許文献１に記載された技術は、利用者と表示装置との相対的な角度に基づいてコンテンツ自体を視認しやすく制御することはできないという問題点がある。また、上述した特許文献１は、単独の液晶表示装置（テレビジョン受像機）の表示の制御に関する技術であり、複数の液晶表示装置にまたがってコンテンツの表示を制御する技術の開示はない。たとえば腕時計型の表示装置のようなものであれば、表示領域の面積が小さいため、単独の表示領域では表示できる情報量が少ないという問題点がある。
【０００６】
本発明の目的の一例は、上述した問題点を解決できるコンテンツを表示する表示装置、表示制御方法およびプログラムを提供することにある。具体的には、本発明の目的の一例は、操作者にコンテンツの表示を視認しやすく、かつより多くの情報量を提供可能な表示装置を提供する。
【課題を解決するための手段】
【０００７】
本発明の一形態における第１の表示装置は、外側の表面に複数、異なる角度で備えられ、それぞれコンテンツを表示する表示部と、周囲を３６０度撮影する撮影部と、撮影部が撮影した画像を画像処理し、操作者の顔の位置と向きを検知した結果に基づきコンテンツを表示する複数の隣接した表示部を決定する操作者検知部と、操作者の顔の位置と向きと、操作者検知部がコンテンツの表示を決定した表示部の角度に基づき、それぞれの表示部に表示するコンテンツを補正し、当該の表示部にそれぞれ表示させるコンテンツ制御部とを備える。
【０００８】
本発明の一形態における第１の表示制御方法は、コンテンツを表示する表示部を外側の表面に複数、異なる角度で備え、撮影部が周囲を３６０度撮影した画像を画像処理し、操作者の顔の位置と向きを検知し、コンテンツを表示する複数の隣接した表示部を決定し、検知した操作者の顔の位置と向きと、コンテンツの表示を決定した表示部の角度に基づき、それぞれの表示部に表示するコンテンツを補正し、当該の表示部にそれぞれ表示させる。
【０００９】
本発明の一形態における第１のプログラムは、コンピュータに、コンテンツを表示する表示部を外側の表面に複数、異なる角度で備え、撮影部が周囲を３６０度撮影した画像を画像処理し、操作者の顔の位置と向きを検知し、コンテンツを表示する複数の隣接した表示部を決定し、検知した操作者の顔の位置と向きと、コンテンツの表示を決定した表示部の角度に基づき、それぞれの表示部に表示するコンテンツを補正し、当該の表示部にそれぞれ表示させる処理を実行させる。
【発明の効果】
【００１０】
本発明によれば、操作者にコンテンツの表示を視認しやすく、かつより多くの情報量を提供可能という効果が得られる。
【図面の簡単な説明】
【００１１】
【図１】図１は、本発明の第１の実施の形態における表示装置１００の外観構成の一例を示す斜視図である。
【図２】図２は、別の角度（ｘ軸方向）から見た本発明の第１の実施の形態における表示装置１００の構成の一例を示す図である。
【図３】図３は、本発明の第１の実施の形態における表示装置１００の構成の一例を示すブロック図である。
【図４】図４は、本発明の第１の実施の形態における表示装置１００の各撮影部の撮影領域の一例を示す図である。
【図５】図５は、本発明の第１の実施の形態における表示装置１００の各表示部を視認する視認領域の一例を示す図である。
【図６】図６は、本発明の第１の実施の形態における表示装置１００の外周より外側を３６０度にわたって撮影した画像の一例を示す概略図である。
【図７】図７は、本発明の第１の実施の形態における表示装置１００の外周より外側を３６０度にわたって撮影した画像に写った操作者の顔の向きを算出する方法の一例を示す概略図である。
【図８】図８は、本発明の第１の実施の形態における表示装置１００の外周より外側を３６０度にわたって撮影した画像の別の一例を示す概略図である。
【図９】図９は、本発明の第１の実施の形態における表示装置１００の第１〜３の表示部１０１〜１０３にコンテンツを表示する方法の一例を示す概略図である。
【図１０】図１０は、本発明の第１の実施の形態における表示装置１００の第１〜３の表示部１０１〜１０３にコンテンツを表示した場合の操作者からの見え方の一例を示す概略図である。
【図１１】図１１は、本発明の第１の実施の形態における表示装置１００の操作者検知部５０１とコンテンツ制御部５０２をコンピュータ装置で実現した場合のハードウェア構成例を示す図である。
【図１２】図１２は、第１の実施の形態における表示装置１００でのコンテンツ表示の動作の概要を示すフローチャートである。
【図１３】図１３は、本発明の第２の実施形態に係る表示装置１１０の構成の一例を示す斜視図である。
【図１４】図１４は、第２の実施の形態における表示装置１１０での第１〜第４の撮影部２０１〜２０４への電源の供給の開始の動作の概要を示すフローチャートである。
【図１５】図１５は、本発明の第３の実施形態に係る表示装置１２０の構成の一例を示す斜視図である。
【発明を実施するための形態】
【００１２】
次に、本発明の実施形態について図面を参照して詳細に説明する。
【００１３】
［第１の実施の形態］
図１は、本発明の第１の実施の形態における表示装置１００の外観構成の一例を示す斜視図である。また、図２は、別の角度から見た本発明の第１の実施の形態における表示装置１００の外観構成の一例を示す図である。さらに、図３は、本発明の第１の実施の形態における表示装置１００の構成の一例を示すブロック図である。図１ないし図３を参照すると、表示装置１００は、腕時計型の表示装置であり、第１〜第８の表示部１０１〜１０８と第１〜第４の撮影部２０１〜２０４と、を備える。また、表示装置１００は、図１、図２に図示しない表示装置１００内部に操作者検知部５０１とコンテンツ制御部５０２と、を備える。
【００１４】
腕時計型の表示装置である表示装置１００の円周面をｙｚ平面と定義し、表示装置１００の円周面に垂直な方向、すなわち腕時計型の表示装置に腕を入れる方向をｘ軸方向として定義する。また、第２の表示部１０２と第６の表示部１０６はｘｚ平面内に、第４の表示部１０４と第８の表示部１０８はｘｙ平面内に位置するようにｙ軸方向、ｚ軸方向を定義する。図２は、ｘ軸方向から見た表示装置１００の構成の一例を示す図である。
【００１５】
次に、第１の実施の形態における表示装置１００の構成について説明する。
【００１６】
第１〜第８の表示部１０１〜１０８は、表示装置１００の外周に備えられたディスプレイである。ディスプレイの方式は、液晶ディスプレイや有機ＥＬ（Ｅｌｅｃｔｒｏ−Ｌｕｍｉｎｅｓｃｅｎｃｅ）ディスプレイなど、どのような方式でもよい。図２を参照すると、表示装置１００には、表示装置１００の外周を隙間なく囲むように同じ大きさの８個の表示部が備えられている。このため、第１〜第８の表示部１０１〜１０８は、隣接する表示部よりそれぞれ４５度傾いた状態で設置されている。
【００１７】
第１〜第４の撮影部２０１〜２０４は、それぞれ第２の表示部１０２、第４の表示部１０４、第６の表示部１０６、第８の表示部１０８の側部に備えられ、表示装置１００の外周より外側を３６０度にわたって撮影する。なお、撮影部の数および備えられる場所はこの例に限らず、表示装置１００の外周より外側を３６０度にわたって撮影することが可能であればどのような形態でも構わない。
【００１８】
操作者検知部５０１は、第１〜第４の撮影部２０１〜２０４が撮影した画像を画像処理し、写っているものを解析する。画像処理の結果、人間の顔を検知した場合、操作者の顔とみなし、操作者の顔の位置と向きを判別し、第１〜第８の表示部１０１〜１０８の中からコンテンツを表示する複数の隣接した表示部を決定する。
【００１９】
図４は、本発明の第１の実施の形態における表示装置１００の各撮影部の撮影領域の一例を示す図である。なお、最外部の矩形は各領域を定義する上で便宜的に設けたものである。実際は最外部の矩形で区切られた領域よりも外側に各撮影領域は延長される。
【００２０】
図４を参照すると、第１の撮影部２０１は、第１の撮影領域３０１と第２の撮影領域３０２と第３の撮影領域３０３の範囲を撮影する。同様に、第２の撮影部２０２は、第３の撮影領域３０３と第４の撮影領域３０４と第５の撮影領域３０５の範囲を撮影する。第３の撮影部２０３は、第５の撮影領域３０５と第６の撮影領域３０６と第７の撮影領域３０７の範囲を撮影する。第４の撮影部２０４は、第７の撮影領域３０７と第８の撮影領域３０８と第１の撮影領域３０１の範囲を撮影する。
【００２１】
操作者検知部５０１は、第１〜第４の撮影部２０１〜２０４が撮影した画像を必要に応じて加工し合成し、表示装置１００の外周より外側を３６０度にわたって撮影した画像を生成する。ここで、第１の撮影領域３０１と第３の撮影領域３０３と第５の撮影領域３０５と第７の撮影領域３０７は複数の撮影部が重複して撮影する撮影領域である。操作者検知部５０１は、これらの撮影領域の画像を重複しない様加工し、繋ぎ目のない１つの画像となるよう合成し、画像を生成する。
【００２２】
図５は、本発明の第１の実施の形態における表示装置１００の各表示部を視認する視認領域の一例を示す図である。なお、図４と同様、最外部の矩形は各領域を定義する上で便宜的に設けたものである。実際は最外部の矩形で区切られた領域よりも外側に各視認領域は延長される。
【００２３】
図５を参照すると、第１の視認領域４０１は、第１の表示部１０１の外側に定義されている。これは第２〜第８の視認領域４０２〜４０８と第２〜第８の表示部１０２〜１０８に関しても同様である。各視認領域の境界は、ｙｚ平面上の表示装置１００の円周面の中心点から各表示部間の連結部分を線で結んだ延長線である。
【００２４】
操作者検知部５０１は、表示装置１００の外周より外側を３６０度にわたって撮影した画像を生成した際に、画像上の第１〜第８の視認領域４０１〜４０８に相当する領域を判別する。操作者検知部５０１は、視認領域の境界線を画像内に書き込む処理を行ってもよい。また、操作者検知部５０１は、画像処理の結果、表示装置１００の外周より外側を３６０度にわたって撮影した画像に人間の顔が写っていると判断した場合、写っている顔が画像上のどの視認領域にあるか判断する。すなわち操作者検知部５０１は、操作者が第１〜第８の視認領域４０１〜４０８のどの領域にいるかを判断する。この時、操作者の顔が画像上の第１〜第８の視認領域４０１〜４０８の複数の領域にまたがって写っていた場合、各領域の操作者の顔が写っている部分の面積を比較し、最も大きく写っている領域を操作者のいる領域と判断する。
【００２５】
図６は、本発明の第１の実施の形態における表示装置１００の外周より外側を３６０度にわたって撮影した画像の一例を示す概略図である。図６の一例の場合、操作者の顔が第２の視認領域４０２と第３の視認領域４０３にまたがって検出されている。ここで、操作者検知部５０１は、第２の視認領域４０２の操作者の顔が写っている領域の面積と第３の視認領域４０３の操作者の顔が写っている領域の面積とを比較する。図５の一例の場合、第２の視認領域４０２の操作者の顔が写っている領域の面積の方が第３の視認領域４０３の操作者の顔が写っている領域の面積よりも大きいため、操作者検知部５０１は、操作者は第２の視認領域４０２にいると判断する。なお、例えば周囲にいる人が写った場合など、同時に２か所以上の人間の顔を検知した場合、操作者検知部５０１は、最も検知した領域の面積が広い、すなわち一番大きく写っている顔を操作者の顔と判断する。
【００２６】
また、操作者検知部５０１は、写っている操作者の顔の画像を解析し、目または眼鏡と鼻の位置を検出する。操作者検知部５０１は、検出した目または眼鏡と鼻の位置に基づき、操作者の顔の向きを判断する。判断する方法の一例を説明する。
【００２７】
操作者検知部５０１は、検出結果の両方の目または眼鏡の位置を線で結び、その線と直交し鼻の位置を通過する直線を生成する。その直線の傾きの算出結果に基づき、操作者検知部５０１は、操作者の顔の向きを判別する。
【００２８】
図７は、本発明の第１の実施の形態における表示装置１００の外周より外側を３６０度にわたって撮影した画像に写った操作者の顔の向きを算出する方法の一例を示す概略図である。図７の一例の場合、操作者検知部５０１は、両方の目または眼鏡の位置を線で結び、その線と直交し鼻の位置を通過する直線の傾きθを、ｔａｎθ＝ｂ／ａとして求める。この時、ａは画像の水平方向、ｂは画像の垂直方向の移動量である。
【００２９】
また、操作者検知部５０１は、検出結果の目または眼鏡と鼻の位置に基づき、操作者が視認できる隣接した表示部を特定する。図６の一例の場合、操作者検知部５０１は、操作者が表示装置１００を見たときに第２の表示部１０２と、第２の表示部１０２の左隣に第１の表示部１０１が、右隣に第３の表示部１０３が視認できると判断する。
【００３０】
図８は、本発明の第１の実施の形態における表示装置１００の外周より外側を３６０度にわたって撮影した画像の別の一例を示す概略図である。図８の一例の場合、表示装置１００の外周より外側を３６０度にわたって撮影した画像に写った顔の位置は図６と同じであるが、目または眼鏡と鼻の位置を検出した結果、操作者検知部５０１は、顔の向きは図６の反対と判断する。すなわち、操作者検知部５０１は、操作者が表示装置１００を逆方向から腕に装着していると判断する。この場合、操作者検知部５０１は、操作者が表示装置１００を見たときに第２の表示部１０２と、第２の表示部１０２の左隣に第３の表示部１０３が、右隣に第１の表示部１０１が視認できると判断する。操作者検知部５０１は、第１〜第８の表示部１０１〜１０８の中からこれらの視認できる表示部を、コンテンツを表示する複数の隣接した表示部として決定する。
【００３１】
コンテンツ制御部５０２は、操作者の顔の位置と向きと、操作者検知部５０１がコンテンツの表示を決定した表示部の角度に基づき、それぞれの表示部に表示するコンテンツを補正し、当該の表示部に表示するよう制御する。なお、それぞれの表示部に表示するコンテンツはどのような種類のコンテンツでも構わない。たとえば図示しない時刻管理部から発行される時刻や日時の情報を表示してもよいし、図示しない画像記憶部の画像を表示してもよい。外部の端末から無線通信によって受信した画面情報を表示してもよい。
【００３２】
まず、操作者の顔の位置と向きに基づいたコンテンツの補正方法を説明する。コンテンツ制御部５０２は、操作者検知部５０１が判別した操作者の顔の向き、すなわち表示装置１００の外周より外側を３６０度にわたって撮影した画像の水平方向からの角度θを取得する。表示装置１００の外周より外側を３６０度にわたって撮影した画像の水平方向は、操作者がいる視認領域に対応する表示部の円周方向と一致する。従って、コンテンツ制御部５０２が操作者の顔の向きと同じ角度θだけコンテンツを回転させた画像を出力し、操作者検知部５０１が表示を決定した表示部に表示することで、操作者は角度を気にせずコンテンツを視認できる。
【００３３】
図９は、本発明の第１の実施の形態における表示装置１００の第１〜３の表示部１０１〜１０３にコンテンツを表示する方法の一例を示す概略図である。図９を参照すると、操作者の顔の向きが角度θの場合、コンテンツ制御部５０２は、第２の表示部１０２に出力するコンテンツを第２の表示部１０２の円周方向から９０°−θ回転した補正を行い、補正結果の画像を出力する。同様にコンテンツ制御部５０２は、第１の表示部１０１に出力するコンテンツと第３の表示部１０３に出力するコンテンツを、第２の表示部１０２の円周方向から９０°−θ回転した補正を行い、補正結果の画像をそれぞれ出力する。
【００３４】
次に、コンテンツの表示を決定した表示部の角度に基づくコンテンツの補正方法を説明する。
【００３５】
図１０は、本発明の第１の実施の形態における表示装置１００の第１〜３の表示部１０１〜１０３にコンテンツを表示した場合の操作者からの見え方の一例を示す概略図である。なお、実際は前述の操作者の顔の位置と向きに基づいたコンテンツの補正を実施した後に本補正を実施するが、図１０では説明の簡略化のため前述の補正がない場合（第２の表示部１０２を正面から見た場合、θ＝９０°）として説明する。図１０を参照すると、第１の表示部１０１と第２の表示部１０２、第２の表示部１０２と第３の表示部１０３は、それぞれ４５度傾いた状態で設置される。このため、第２の表示部１０２に対応する第２の視認領域４０２にいる操作者からは、第３の表示部１０３のコンテンツは、第２の表示部１０２のコンテンツと比較して１／√２倍に圧縮されて見える。すなわち実際の第３の表示部１０３の円周方向の長さをｃとすると、操作者は、第３の表示部１０３の円周方向の長さはｃ／√２として視認される。このことは第１の表示部１０１に関しても同様である。このことを補正するために、コンテンツ制御部５０２は、第１の表示部１０１、第３の表示部１０３に表示するコンテンツを、あらかじめ円周方向に√２倍に拡大した画像をそれぞれ生成する。そして、コンテンツ制御部５０２は、生成した画像を第１の表示部１０１、第３の表示部１０３にそれぞれ送信し表示するよう制御する。この補正を実施することで、操作者は、表示部の角度を気にせずコンテンツを視認できる。
【００３６】
図１１は、本発明の第１の実施の形態における表示装置１００の操作者検知部５０１とコンテンツ制御部５０２をコンピュータ装置で実現した場合のハードウェア構成例を示す図である。図１１に示されるように、操作者検知部５０１とコンテンツ制御部５０２は、それぞれ通信インタフェース１０、ＣＰＵ（Ｃｅｎｔｒａｌ  Ｐｒｏｃｅｓｓｉｎｇ  Ｕｎｉｔ）１１、および主記憶装置１４、および二次記憶装置１５を含む。
【００３７】
通信インタフェース１０は、処理装置および周辺端末との通信のための入出力インタフェースを構成する。また通信インタフェース１０は、操作者検知部５０１とコンテンツ制御部５０２に接続する図示しないネットワークとの接続制御のためのインタフェースも含む。
【００３８】
ＣＰＵ１１は、オペレーティングシステムを動作させて本発明の第１の実施の形態に係る操作者検知部５０１とコンテンツ制御部５０２の全体を制御する。また、ＣＰＵ１１は、例えば二次記憶装置１５から主記憶装置１４にプログラムまたはデータを読み出す。具体的には、ＣＰＵ１１は、第１の実施の形態における操作者検知部５０１とコンテンツ制御部５０２として動作し、それぞれプログラム制御に基づいて各種の処理を実行する。また、操作者検知部５０１とコンテンツ制御部５０２のＣＰＵ１１は、１つに限らず２つ以上備えていてもよい。また、操作者検知部５０１とコンテンツ制御部５０２は、共通のＣＰＵ１１を使用してもよい。
【００３９】
主記憶装置１４は、ＣＰＵ１１の制御に基づく作業用メモリである。
【００４０】
二次記憶装置１５は、例えば光ディスク、フレキシブルディスク、磁気光ディスク、外付けハードディスク、または半導体メモリ等であって、コンピュータプログラムをコンピュータ読み取り可能に記録する。二次記憶装置１５は、操作者検知部５０１とコンテンツ制御部５０２が実行するためのコンピュータプログラムを一時的に記憶するまたは非一時的に記憶する。したがって、ＣＰＵ１１は、二次記憶装置１５に記録されているコンピュータプログラムを読み込み、そのプログラムにしたがって、操作者検知部５０１とコンテンツ制御部５０２として動作してもよい。
【００４１】
また、コンピュータプログラムは、通信網に接続されている図示しない外部コンピュータからダウンロードされてもよい。
【００４２】
なお、操作者検知部５０１とコンテンツ制御部５０２は、図１１に示すコンピュータ装置に限らず、各部がハードウェア回路によって実現されてもよい。ただし、操作者検知部５０１とコンテンツ制御部５０２が備える各部の実現手段は特に限定されない。すなわち、操作者検知部５０１とコンテンツ制御部５０２は、物理的に結合した１つの装置により実現されてもよいし、物理的に分離した２つ以上の装置を有線または無線で接続し、これら複数の装置により実現されてもよい。
【００４３】
以上のように構成された表示装置１００の動作について、図１２のフローチャートを参照して説明する。
【００４４】
図１２は、第１の実施の形態における表示装置１００でのコンテンツ表示の動作の概要を示すフローチャートである。尚、このフローチャートによる処理は、前述したＣＰＵによるプログラム制御に基づいて、実行されても良い。
【００４５】
図１２に示すように、まず、操作者検知部５０１は、常時第１〜第４の撮影部２０１〜２０４が撮影した画像を画像処理し、監視する（ステップＳ１０１）。
【００４６】
次に、操作者検知部５０１は、画像処理した画像内に人間の顔が認識できるか否かを確認する（ステップＳ１０２）。もし人間の顔が認識できない場合（ステップＳ１０２でＮＯ）、操作者検知部５０１は、ステップＳ１０１に戻り画像を監視する。人間の顔が認識できる場合（ステップＳ１０２でＹＥＳ）、操作者検知部５０１は、認識した顔を操作者の顔とみなし、操作者の顔の位置と向きを判別する（ステップＳ１０３）。
【００４７】
次に、操作者検知部５０１は、ステップＳ１０３での判別結果に基づいて第１〜第８の表示部１０１〜１０８の中からコンテンツを表示する複数の隣接した表示部を決定する（ステップＳ１０４）。
【００４８】
次に、操作者検知部５０１は、写っている操作者の顔を画像解析し、目または眼鏡と鼻の位置を検出する（ステップＳ１０５）。
【００４９】
次に、操作者検知部５０１は、ステップＳ１０５での検出結果に基づいて操作者の顔の向きを判断する（ステップＳ１０６）。
【００５０】
次に、コンテンツ制御部５０２は、ステップＳ１０４で決定した表示部に表示するコンテンツのデータを取得する（ステップＳ１０７）。
【００５１】
次に、コンテンツ制御部５０２は、ステップＳ１０６で判断した操作者の顔の向きに基づいて、ステップＳ１０７で取得したコンテンツのデータを補正した画像を生成する（ステップＳ１０８）。
【００５２】
次に、コンテンツ制御部５０２は、コンテンツを表示する表示部の角度に基づいてステップＳ１０８で生成した画像をさらに補正する（ステップＳ１０９）。
【００５３】
次に、コンテンツ制御部５０２は、ステップＳ１０９で補正した画像をコンテンツを表示する表示部にそれぞれ送信し表示するよう制御する（ステップＳ１１０）。
【００５４】
次に、コンテンツを表示する表示部は、ステップＳ１１０でのコンテンツ制御部５０２の制御に基づき、受信した画像を表示する（ステップＳ１１１）。
【００５５】
以上で、表示装置１００は、コンテンツ表示の動作を終了する。
【００５６】
次に、本発明の第１の実施の形態の効果について説明する。
【００５７】
上述した本実施形態における表示装置１００は、操作者にコンテンツの表示を視認しやすく、かつより多くの情報量を提供できる。
【００５８】
その理由は、以下のような構成を含むからである。即ち、第１に操作者検知部５０１は、第１〜第４の撮影部２０１〜２０４が撮影した画像を画像処理し、人間の顔が認識できるか否かを確認する。第２に、操作者検知部５０１は、人間の顔を検知した場合、操作者の顔の位置と向きを判別し、第１〜第８の表示部１０１〜１０８の中からコンテンツを表示する複数の隣接した表示部を決定する。第３に、コンテンツ制御部５０２は、操作者の顔の位置と向きと、操作者検知部５０１がコンテンツの表示を決定した表示部の角度に基づき、それぞれの表示部に表示するコンテンツを補正し、当該の表示部に表示するよう制御する。これにより、表示装置１００は、複数の隣接した表示部にコンテンツを表示できる。なおかつ操作者は、自分と表示装置１００との相対角度と表示部の角度を気にせずコンテンツを視認できる。このため、表示装置１００は、操作者にコンテンツの表示を視認しやすく、かつより多くの情報量を提供できるという効果が得られる。
【００５９】
また、変形例として、表示装置１００は、図示しない記憶部に特定の人の顔の構造のパターンを記憶し、操作者検知部５０１が人間の顔を検知した場合、記憶している特定の人の顔の構造のパターンと合致するか否かを判定してもよい。記憶している特定の人の顔の構造のパターンと合致した場合に限り、表示装置１００は、コンテンツ表示の動作を継続する処理を行う。ここで、顔の構造のパターンとはたとえば目または眼鏡と鼻の位置のパターンである。この変形例の場合、表示装置１００は、顔の構造のパターンを記憶する特定の人以外の人の顔を検知しても表示部にコンテンツを表示しない。このため他人が情報を取得することを防止し、セキュリティの向上が期待できる。
【００６０】
また、変形例として、表示装置１００は、操作者検知部５０１が複数の人間の顔を検知した場合、検知した人間のいる視認領域に対応する表示部全てにコンテンツを表示してもよい。この変形例の場合、複数の人間が同時にコンテンツを閲覧可能で、かつ人が不在の表示部にはコンテンツを表示せず消費電力を低減できる受像機としての活用が期待できる。
【００６１】
［第２の実施形態］
次に、本発明の第２の実施形態について図面を参照して詳細に説明する。以下、本実施形態の説明が不明確にならない範囲で、前述の説明と重複する内容については説明を省略する。
【００６２】
図１３は、本発明の第２の実施形態に係る表示装置１１０の構成の一例を示すブロック図である。
【００６３】
図１３を参照すると、本実施形態における表示装置１１０は、第１の実施形態のそれと比べて、振動検知部５０３が追加される。
【００６４】
振動検知部５０３は、表示装置１１０の図示しない電源部と接続し、所定の強度以上の振動を検知した場合、第１〜第８の表示部１０１〜１０８と第１〜第４の撮影部２０１〜２０４に電源を供給する。また、振動を検知して所定の時間が経過した場合、第１〜第８の表示部１０１〜１０８と第１〜第４の撮影部２０１〜２０４への電源の供給を停止する。振動検知部５０３は、たとえば加速度センサによって実現される。また、所定の強度以上の振動とは、具体的には表示装置１１０を腕に装着した操作者が、表示装置１１０の表示を確認するために腕を上げる程度の振動である。すなわち、本実施形態における表示装置１１０は、操作者が表示装置１１０の表示を確認するために腕を上げるしぐさを行ったことをトリガとして第１〜第８の表示部１０１〜１０８と第１〜第４の撮影部２０１〜２０４に通電する。その結果、第１〜第４の撮影部２０１〜２０４はそれぞれ第１〜第４の撮影領域３０１〜３０４の撮影を開始する。
【００６５】
これらの処理完了後、第１の実施形態における表示装置１００と同様にコンテンツ表示の動作を開始する。
【００６６】
次に、表示装置１１０の動作について図１４に示すフローチャートを参照して説明する。
【００６７】
図１４は、第２の実施の形態における表示装置１１０での第１〜第４の撮影部２０１〜２０４への電源の供給の開始の動作の概要を示すフローチャートである。尚、このフローチャートによる処理も、前述したＣＰＵによるプログラム制御に基づいて、実行されても良い。
【００６８】
図１４に示すように、まず、振動検知部５０３が所定の強度以上の振動を検知しない場合（ステップＳ２０１でＮＯ）、かつ所定の時間が経過していない場合（ステップＳ２０２でＮＯ）、本処理はそのまま終了する。所定の時間が経過し（ステップＳ２０２でＹＥＳ）、かつ第１〜第８の表示部１０１〜１０８と第１〜第４の撮影部２０１〜２０４が通電している場合（ステップＳ２０３でＹＥＳ）、振動検知部５０３は表示部と撮影部への電源供給を止める（ステップＳ２０４）。第１〜第８の表示部１０１〜１０８と第１〜第４の撮影部２０１〜２０４が通電していない場合（ステップＳ２０３でＮＯ）、本処理はそのまま終了する。
【００６９】
振動検知部５０３が所定の強度以上の振動を検知した場合（ステップＳ２０１でＹＥＳ）、振動検知部５０３は、図示しない電源部より第１〜第８の表示部１０１〜１０８と第１〜第４の撮影部２０１〜２０４に電源の供給を開始する（ステップＳ２０５）。
【００７０】
以上で、表示装置１１０は、第１〜第４の撮影部２０１〜２０４への電源の供給の開始の動作を終了する。本動作は常に定期的に処理を実施する。
【００７１】
次に、本発明の第２の実施の形態の効果について説明する。
【００７２】
上述した本実施形態における表示装置１１０は、消費電力を低減できる。
【００７３】
その理由は、以下のような構成を含むからである。即ち、第１に振動検知部５０３は、操作者が表示装置１１０の表示を確認するために腕を上げるような所定の強度以上の振動を検知した場合、図示しない電源部より第１〜第８の表示部１０１〜１０８と第１〜第４の撮影部２０１〜２０４に電源の供給を開始する。第２に、振動検知部５０３は、所定の時間が経過し、かつ第１〜第８の表示部１０１〜１０８と第１〜第４の撮影部２０１〜２０４が通電している場合、電源の供給を停止する。したがって、操作者が表示装置１１０の表示を確認するために腕を上げるしぐさを行ったことをトリガとして第１〜第４の撮影部２０１〜２０４の撮影が開始され、所定の時間が経過した場合第１〜第４の撮影部２０１〜２０４の撮影が停止する。このため、例えば操作者が表示装置１１０を視認していないような場合は、第１〜第８の表示部１０１〜１０８と第１〜第４の撮影部２０１〜２０４は通電せず、第１〜第４の撮影部２０１〜２０４の撮影を行わない。このため、表示装置１１０は、消費電力を低減できるという効果が得られる。
【００７４】
［第３の実施形態］
次に、本発明の第３の実施形態について図面を参照して詳細に説明する。以下、本実施形態の説明が不明確にならない範囲で、前述の説明と重複する内容については説明を省略する。
【００７５】
図１５は、本発明の第３の実施形態に係る表示装置１２０の構成の一例を示すブロック図である。
【００７６】
図１５を参照すると、本実施形態における表示装置１２０は、第１の実施形態のそれと比べて、操作者検知部５０１の代わりに操作者光源検知部５２１を備える。また、コンテンツ制御部５０２に代えてコンテンツ制御部５２２を備える。
【００７７】
操作者光源検知部５２１は、第１の実施形態における操作者検知部５０１とは以下の点で処理が異なる。ステップＳ１０２において、操作者光源検知部５２１は、画像処理した画像内に人間の顔が認識できるか否かだけではなく所定の照度以上の光源があるか否かも確認する。所定の照度以上の光源とは、屋外における太陽とみなされる光源である。また、ステップＳ１０３において、操作者光源検知部５２１は、操作者の顔の位置と向きを判別するだけでなく、所定の照度以上の光源があった場合、光源の位置が第１〜第８の視認領域４０１〜４０８のどの領域にいるかも判別する。また、ステップＳ１１０において、所定の照度以上の光源の位置が操作者のいる視認領域に隣接する領域にある場合、光源が含まれる視認領域に対応する表示部は消灯する制御を行う。たとえば図５の一例の場合、操作者がいる第２の視認領域４０２に隣接する第１の視認領域４０１もしくは第３の視認領域４０３にて所定の照度以上の光源が検出される場合である。これは、太陽のような明るい光源が当該の領域にある場合、操作者は、当該の表示部を視認することが困難なためである。
【００７８】
次に、本発明の第３の実施の形態の効果について説明する。
【００７９】
上述した本実施形態における表示装置１２０は、さらに消費電力を低減できる。
【００８０】
その理由は、以下のような構成を含むからである。即ち、第１に、操作者光源検知部５２１は、画像処理した画像内に所定の照度以上の光源があるか否かを確認する。第２に、コンテンツ制御部５２２は、所定の照度以上の光源の位置が操作者のいる視認領域に隣接する領域にある場合、光源が含まれる視認領域に対応する表示部は消灯する制御を行う。これにより、操作者が視認することが困難な表示部を消灯するため、表示装置１２０は、さらに消費電力を低減できるという効果が得られる。
【００８１】
以上説明した、本発明の各実施形態における各構成要素は、その機能をハードウェア的に実現することはもちろん、プログラム制御に基づくコンピュータ装置、ファームウェアで実現することができる。プログラムは、磁気ディスクや半導体メモリなどのコンピュータ可読記録媒体に記録されて提供され、コンピュータの立ち上げ時などにコンピュータに読み取られる。この読み取られたプログラムは、そのコンピュータの動作を制御することにより、そのコンピュータを前述した各実施の形態における構成要素として機能させる。
【００８２】
以上、各実施の形態を参照して本発明を説明したが、本発明は上記実施の形態に限定されるものではない。本発明の構成や詳細には、本発明のスコープ内で当業者が理解しえる様々な変更をすることができる。
【００８３】
たとえば、以上の各実施形態で説明した各構成要素は、必ずしも個々に独立した存在である必要はない。例えば、各構成要素は、複数の構成要素が１個のモジュールとして実現されたり、一つの構成要素が複数のモジュールで実現されたりしてもよい。また、各構成要素は、ある構成要素が他の構成要素の一部であったり、ある構成要素の一部と他の構成要素の一部とが重複していたり、といったような構成であってもよい。
【００８４】
また、以上説明した各実施形態では、複数の動作をフローチャートの形式で順番に記載してあるが、その記載の順番は複数の動作を実行する順番を限定するものではない。このため、各実施形態を実施するときには、その複数の動作の順番は内容的に支障しない範囲で変更することができる。
【００８５】
さらに、以上説明した各実施形態では、複数の動作は個々に相違するタイミングで実行されることに限定されない。例えば、ある動作の実行中に他の動作が発生したり、ある動作と他の動作との実行タイミングが部分的に乃至全部において重複していたりしていてもよい。
【００８６】
さらに、以上説明した各実施形態では、ある動作が他の動作の契機になるように記載しているが、その記載はある動作と他の動作の全ての関係を限定するものではない。このため、各実施形態を実施するときには、その複数の動作の関係は内容的に支障のない範囲で変更することができる。また各構成要素の各動作の具体的な記載は、各構成要素の各動作を限定するものではない。このため、各構成要素の具体的な各動作は、各実施形態を実施する上で機能的、性能的、その他の特性に対して支障をきたさない範囲内で変更されて良い。
【００８７】
上記の実施形態の一部又は全部は、以下の付記のようにも記載されうるが、以下には限られない。
【００８８】
（付記１）外側の表面に複数、異なる角度で備えられ、それぞれコンテンツを表示する表示部と、周囲を３６０度撮影する撮影部と、撮影部が撮影した画像を画像処理し、操作者の顔の位置と向きを検知した結果に基づきコンテンツを表示する複数の隣接した表示部を決定する操作者検知部と、操作者の顔の位置と向きと、操作者検知部がコンテンツの表示を決定した表示部の角度に基づき、それぞれの表示部に表示するコンテンツを補正し、当該の表示部にそれぞれ表示させるコンテンツ制御部とを備える表示装置。
【００８９】
（付記２）操作者検知部は、画像処理した撮影部が撮影した画像の中から人の顔の目または眼鏡と鼻の位置を抽出した結果に基づき、顔の位置と向きを検知する付記１に記載の表示装置。
【００９０】
（付記３）振動を検知する振動検知部をさらに含み、振動検知部が所定の強度以上の振動を検知した場合、撮影部と表示部に電源が供給される付記１または２に記載の表示装置。
【００９１】
（付記４）操作者検知部は、さらに所定の照度以上の光源がある場合、光源の位置を検知し、コンテンツ制御部は、操作者の顔の位置と向きと、光源の位置に基づき、それぞれの表示部に対するコンテンツの表示の可否を決定する付記１乃至３のいずれか１項に記載の表示装置。
【００９２】
（付記５）操作者検知部が検知した操作者の顔の構造のパターンがあらかじめ記憶するパターンと一致した場合、コンテンツ制御部は表示部にコンテンツを表示する付記１乃至４のいずれか１項に記載の表示装置。
【００９３】
（付記６）操作者検知部が同時に複数の顔の位置を検知した場合、少なくとも全ての顔の位置に基づき、コンテンツを表示する表示部を決定する付記１乃至４のいずれか１項に記載の表示装置。
【００９４】
（付記７）コンテンツを表示する表示部を外側の表面に複数、異なる角度で備え、撮影部が周囲を３６０度撮影した画像を画像処理し、操作者の顔の位置と向きを検知し、コンテンツを表示する複数の隣接した表示部を決定し、検知した操作者の顔の位置と向きと、コンテンツの表示を決定した表示部の角度に基づき、それぞれの表示部に表示するコンテンツを補正し、当該の表示部にそれぞれ表示させる表示制御方法。
【００９５】
（付記８）画像処理した撮影部が撮影した画像の中から人の顔の目または眼鏡と鼻の位置を抽出した結果に基づき、顔の位置と向きを検知する付記７に記載の表示制御方法。
【００９６】
（付記９）振動を検知する振動検知部をさらに含み、振動検知部が所定の強度以上の振動を検知した場合、撮影部と表示部に電源が供給される付記７または８に記載の表示制御方法。
【００９７】
（付記１０）さらに所定の照度以上の光源がある場合、光源の位置を検知し、操作者の顔の位置と向きと、光源の位置に基づき、それぞれの表示部に対するコンテンツの表示の可否を決定する付記７乃至９のいずれか１項に記載の表示制御方法。
【００９８】
（付記１１）検知した操作者の顔の構造のパターンがあらかじめ記憶するパターンと一致した場合、表示部にコンテンツを表示する付記７乃至１０のいずれか１項に記載の表示制御方法。
【００９９】
（付記１２）同時に複数の顔の位置を検知した場合、少なくとも全ての顔の位置に基づき、コンテンツを表示する表示部を決定する付記７乃至１１のいずれか１項に記載の表示制御方法。
【０１００】
（付記１３）コンテンツを表示する表示部を外側の表面に複数、異なる角度で備え、撮影部が周囲を３６０度撮影した画像を画像処理し、操作者の顔の位置と向きを検知し、コンテンツを表示する複数の隣接した表示部を決定し、検知した操作者の顔の位置と向きと、コンテンツの表示を決定した表示部の角度に基づき、それぞれの表示部に表示するコンテンツを補正し、当該の表示部にそれぞれ表示させる処理をコンピュータに実行させるプログラム。
【０１０１】
（付記１４）画像処理した撮影部が撮影した画像の中から人の顔の目または眼鏡と鼻の位置を抽出した結果に基づき、顔の位置と向きを検知する処理をコンピュータに実行させる付記１３に記載のプログラム。
【０１０２】
（付記１５）さらに所定の照度以上の光源がある場合、光源の位置を検知し、操作者の顔の位置と向きと、光源の位置に基づき、それぞれの表示部に対するコンテンツの表示の可否を決定する処理をコンピュータに実行させる付記１３または１４に記載のプログラム。
【０１０３】
（付記１６）検知した操作者の顔の構造のパターンがあらかじめ記憶するパターンと一致した場合、表示部にコンテンツを表示する処理をコンピュータに実行させる付記１３乃至１５のいずれか１項に記載のプログラム。
【０１０４】
（付記１７）同時に複数の顔の位置を検知した場合、少なくとも全ての顔の位置に基づき、コンテンツを表示する表示部を決定する処理をコンピュータに実行させる付記１３乃至１６のいずれか１項に記載のプログラム。
【符号の説明】
【０１０５】
１０    通信インタフェース
１１    ＣＰＵ
１４    主記憶装置
１５    二次記憶装置
１００、１１０、１２０    表示装置
１０１、１０２、１０３、１０４、１０５、１０６、１０７、１０８    表示部
２０１、２０２、２０３、２０４    撮影部
３０１、３０２、３０３、３０４、３０５、３０６、３０７、３０８    撮影領域
４０１、４０２、４０３、４０４、４０５、４０６、４０７、４０８    視認領域
５０１    操作者検知部
５０２、５２２    コンテンツ制御部
５０３    振動検知部
５２１    操作者光源検知部
【図１】
0006441763.tif 000002
【図２】
0006441763.tif 000003
【図３】
0006441763.tif 000004
【図４】
0006441763.tif 000005
【図５】
0006441763.tif 000006
【図６】
0006441763.tif 000007
【図７】
0006441763.tif 000008
【図８】
0006441763.tif 000009
【図９】
0006441763.tif 000010
【図１０】
0006441763.tif 000011
【図１１】
0006441763.tif 000012
【図１２】
0006441763.tif 000013
【図１３】
0006441763.tif 000014
【図１４】
0006441763.tif 000015
【図１５】
0006441763.tif 000016